(57)【特許請求の範囲】
【請求項１】
被検者の個人データを入力するための操作部と、
一つの電流路形成電極及び一つの電圧測定用電極を一組とする二組からなり、被検者が両手を各別に前記電極の一組に接触させることによって生体インピーダンスを測定できる電極群と、
被検者が両手を押し当てることができ、前記電極群が配設される測定面が表面に形成された体脂肪計本体と、
前記個人データと生体インピーダンスとに基づいて体脂肪率を演算する演算部と、
少なくとも前記体脂肪率が表示される表示部と、を備え、
前記体脂肪計本体に、前記被検者の腕が身体の他の部分と接触しないように、該体脂肪計本体の背面を、建物の壁における前記被検者の両手を前方に伸ばして前記両手を前記測定面に押し当て可能な前記被検者の肩の高さ位置に設置するための設置手段が設けられた体脂肪計。
【請求項２】
前記設置手段は、前記壁に設けられた凸状のフック部材に嵌まるように、前記体脂肪計本体の背面に形成された凹状の掛け孔である請求項１に記載の体脂肪計。
【請求項３】
前記操作部と表示部とが前記体脂肪計本体と一体に組み込まれた請求項１又は請求項２に記載の体脂肪計。
【請求項４】
前記操作部と表示部とが前記体脂肪計本体から分離されている請求項１乃至請求項３のいずれかに記載の体脂肪計。
【請求項５】
前記一組に含まれる電流路形成電極及び電圧測定用電極は、電流路形成電極が被検者の手の掌における指に近い側に接触するように配設され、電圧測定用電極が手の掌における手首に近い側に接触するように配設される請求項１乃至請求項４のいずれかに記載の体脂肪計。
【請求項６】
前記一組に含まれる電流路形成電極が、被検者の掌における人指し指の付け根から小指の付け根に跨る領域に接触させ得るように配設される請求項５に記載の体脂肪計。
【請求項７】
前記一組に含まれる電圧測定用電極が、被検者の掌における親指の基部から小指の基部に跨る領域に接触させ得るように配設される請求項５又は請求項６に記載の体脂肪計。
【請求項８】
前記一組に含まれる電圧測定用電極が、被検者の掌における親指の基部の領域に接触させ得るように配設される請求項５又は請求項６に記載の体脂肪計。
【請求項９】
前記一組に含まれる電圧測定用電極が、被検者の掌における小指の基部の領域に接触させ得るように配設される請求項５又は請求項６に記載の体脂肪計。
【請求項１０】
前記電極群は、その各電極の表面が前記測定面に対してやや突出した形状とされる請求項１乃至請求項９のいずれかに記載の体脂肪計。
【請求項１１】
前記体脂肪計本体に、体脂肪率の測定と異なる機能を有する部材が組み込まれた請求項１乃至請求項１０のいずれかに記載の体脂肪計。
【請求項１２】
少なくとも電極群が配設される測定面を覆うカバーが付設された請求項１乃至請求項１１のいずれかに記載の体脂肪計。
【請求項１３】
体脂肪率の測定と異なる機能を有する部材が、前記カバーに組み込まれた請求項１２に記載の体脂肪計。
【発明の詳細な説明】
【０００１】
【発明の属する技術分野】
この発明は、簡易でコンパクトな構造とされた体脂肪計に関する。
【０００２】
【従来の技術】
従来より健康維持の観点から体内の脂肪率が注目されている。体脂肪率が増加すると成人病等を引き起こす原因となるので、体脂肪率を測定することにより成人病の予防を図ることができる。
【０００３】
この体脂肪率を測定するための体脂肪計として、特公平５−４９０５０に記載された体脂肪計がある。この公報に記載されたものは、体重を測定するために被検者が載る体重測定部の表面に人体のインピーダンスである生体インピーダンスを測定するための電極が設けられ、体重測定部に被検者が載ることで、体重と生体インピーダンスとを同時に測定できるようになっている。そして、体脂肪計に対する操作によって入力された性別や身長等の個人データと、前記測定された体重および生体インピーダンスとから、体脂肪計に備わる演算部によって体脂肪率が演算されるようになっている。
【０００４】
また、これ以外にも、特許第２６６７３３７号公報に記載された体脂肪計がある。この公報に記載されたものについても、入力された身長、性別や体重等の個人データと生体インピーダンスとから、演算部によって体脂肪率が演算されるようになっている。そして、この体脂肪計にあっては、左手および右手で把持する一対の把持部（プローブ）が設けられており、その表面に設けられた電極に両手の手の平を接触させるように該把持部を把持することにより生体インピーダンスを測定できるようになっている。この体脂肪計によると、前記把持部を手で把持することにより生体インピーダンスを簡単に測定でき便利である。
【０００５】
【発明が解決しようとする課題】
ところで、前記特公平５−４９０５０に記載された体脂肪計については、体重と生体インピーダンスとを同時にその場で測定することにより体脂肪率を手軽に測定でき、また、風呂場等の床に常設して何時でもそのまま使用することができ便利であるが、以下の問題がある。
【０００６】
この体脂肪計にあっては、体重の測定と生体インピーダンスの測定とを同時に行えるように、従来の体重計に電極を一体的に組み込むことで生体インピーダンスを測定できる機能が付加された構成とされている。従って、体重計としての機能を保持させるためには、本体の大きさ、形状、強度等におのずから制約が生じてくる。例えば、本体の厚みを含めた大きさを体重測定部の収納スペース以下にできないとか、測定面の大きさ及び形状を安定して足を載せることができる面積及び形状とする必要がある。また、体重測定部のスペースと体重計としての機能を保持する必要から、他の機能を有する部材との組み合わせ或いは一体化が困難となる。
【０００７】
さらに、かかる体脂肪計にあっては、個人データを入力するための操作を行うにあたり、立ったままの姿勢で行うことは不可能であり、体重測定部の上に座り込むか屈み込む必要がある。また、体脂肪率の測定結果を表示部より読み取るにあたっても、立ったままの姿勢では目視による確認は必ずしも容易でなく、読みとりミスを生ずるおそれがある。これらの問題を避けるため、操作部や表示部を体重計の本体より支柱を介して体重計に対する一定の高さの位置に設けるようにすることもできるが、このようにすると、構造が複雑になるという問題がある。
【０００８】
一方、特許第２６６７３３７号公報に記載された体脂肪計については、生体インピーダンスを測定するべく両手で把持部を把持するにあたり、該インピーダンスの測定誤差を防ぐためには、腕と身体の他の部位とが接触しないように、両手を前方に水平に上げ、体脂肪計本体を肩の高さに保持する必要がある。従って、自然な姿勢での測定とはいえず、何人にも楽に操作と測定を行えるものではない。
【０００９】
そこで、本発明は、よりコンパクトな構造とされ、体脂肪率の測定における各種の操作を容易に行えるようにもされた体脂肪計を提供することを目的とする。
【００１０】
【課題を解決するための手段】
上記課題を解決するため、本発明の体脂肪計は、被検者の個人データを入力するための操作部と、
一つの電流路形成電極及び一つの電圧測定用電極を一組とする二組からなり、被検者が両手を各別に前記電極の一組に接触させることによって生体インピーダンスを測定できる電極群と、
被検者が両手を押し当てることができ、前記電極群が配設される測定面が表面に形成された体脂肪計本体と、
前記個人データと生体インピーダンスとに基づいて体脂肪率を演算する演算部と、
少なくとも前記体脂肪率が表示される表示部と、を備え、
前記体脂肪計本体に、前記被検者の腕が身体の他の部分と接触しないように、該体脂肪計本体の背面を、建物の壁における前記被検者の両手を前方に伸ばして前記両手を前記測定面に押し当て可能な前記被検者の肩の高さ位置に設置するための設置手段が設けられている（請求項１）。なお、前記設置手段は、前記壁に設けられた凸状のフック部材に嵌まるように、前記体脂肪計本体の背面に形成された凹状の掛け孔であってもよい（請求項２）。
【００１１】
本発明の体脂肪計にあっては、体脂肪計本体は体重計を含まない構成とされている。即ち、体脂肪計本体は、体重計が組み込まれておらず、手を接触させて生体インピーダンスの測定を行える前記電極群が組み込まれ得る程度の大きさや強度等に形成されており、体重計としての機能を維持する必要に基づく大きさ、形状及び強度等の制約を受けることなく、コンパクトなものとできる。
【００１２】
また、本発明の体脂肪計は、上記設置手段により体脂肪計本体の裏面を建物の壁に掛けて設置できるので、生体インピーダンスの測定等の体脂肪計に対する操作を楽な姿勢で容易に行える所定の位置に設置することができる。ここで、体脂肪計本体が設置される建物の壁の位置は、上記生体インピーダンスの測定を行うにあたり、被検者が両手を伸ばして腕を身体の他の部位に接触させることなく比較的に楽な姿勢で測定を行える場所であればよい。具体的には、建物の壁における被検者の肩の高さの位置である。
【００１３】
そして、前記設置手段により体脂肪計本体が設置される建物の壁における前記被検者の肩の高さの位置とすると、インピーダンスの測定を行うにあたり、被検者は、立った姿勢にて肩の高さで両手を前方に伸ばして両手を測定面に押し当てることができる。これにより、腕を身体の他の部位に接触させるおそれなく精度の高いインピーダンスの測定を、特に楽な姿勢で行うことができる。
【００１４】
また、前記操作部と表示部とを前記体脂肪計本体と一体に組み込むことができ（請求項３）、これにより、電極群が配設される体脂肪計本体とそれ以外の部分とを含めて一体にまとめた体脂肪計とできるので、保守等において便利である。
【００１５】
一方、前記操作部と表示部とを体脂肪計本体から分離してもよい（請求項４）。このようにすると、体脂肪計本体をよりコンパクトにしたい場合に便利である。
【００１６】
また、前記一組に含まれる電流路形成電極及び電圧測定用電極について、電流路形成電極を被検者の手の掌における指に近い側に接触するように配設し、電圧測定用電極を手の掌における手首に近い側に接触するように配設すると（請求項５）、以下の意義がある。即ち、前記一組に含まれる二つの電極を掌における相対的な上記位置関係となるように配設すると、両手の掌を両端とする生体インピーダンスの測定において、電流路形成電極が外側に、電圧測定用電極が内側に配設されることになる。これにより、電流路形成電極を介して形成された電流路の内側に配設された電圧測定用の電極を介して、生体インピーダンスによる電位差の測定を行えるので、生体インピーダンスを正確に測定できる。
【００１７】
そして、かかる一組に含まれる二つの電極について、電流路形成電極を被検者の掌における人指し指の付け根から小指の付け根に跨る領域に接触させ得るように配設することができ（請求項６）、電圧測定用電極を被検者の掌における親指の基部から小指の基部に跨る領域に接触させ得るように配設することができ（請求項７）、電圧測定用電極を被検者の掌における親指の基部の領域に接触させ得るように配設することができ（請求項８）、電圧測定用電極を被検者の掌における小指の基部の領域に接触させ得るように配設することもできる（請求項９）。これら被検者の掌における、人指し指の付け根から小指の付け根に跨る領域や、親指の基部の領域又は小指の基部の領域は、手の掌において比較的膨らんでおり、これらの領域に接触するように前記一組に含まれる電極を配設すると、掌に対する電極の接触をより高めることができる。これにより、より高い精度で生体インピーダンスを測定できる。
【００１８】
また、前記電極群について、その各電極の表面を前記測定面に対してやや突出した形状とすることによっても（請求項１０）、掌に対する電極の接触をより高めることができ、より高い精度で生体インピーダンスを測定できる。
【００１９】
また、前記体脂肪計本体に、体脂肪率の測定と異なる機能を有する部材を組み込むこともできる（請求項１１）。かかる部材として、時計や、温度計、湿度計、体温計、ゲーム機等を挙げることができる。
【００２０】
また、少なくとも電極群が配設される測定面を覆うカバーを付設することもできる（請求項１２）。該カバーにより、少なくとも電極群が配設される測定面を覆うことで、電極群を損傷や汚れから保護できる。これにより、電極群が汚れや腐食等を受けることによる生体インピーダンスの測定誤差を防ぐことができ、より精度の高い生体インピーダンスの測定を行える。
【００２１】
かかるカバーを付設する場合には、前記体脂肪率の測定と異なる機能を有する部材を、カバーに組み込むこともできる（請求項１３）。
【００２２】
【発明の実施の形態】
本発明の実施の形態について、図１乃至図６に基づいて説明する。
図１は、本発明の一実施形態である体脂肪計１０の斜視図を示している。
体脂肪計１０は、板状に形成された操作パネル部５および体脂肪計本体１が一体に組み込まれた構成とされている。そして、操作パネル部５の表面には操作部６と表示部７とが設けられ、体脂肪計本体１の表面には測定面４が形成されている。
【００２３】
操作部６は、体脂肪率を求める上で必要となる被検者の個人データを入力するためのものであり、個人データを入力するための多くのキーを備えている。そして、個人データには被検者の身長データや性別や体重データ等があるが、操作部６には、個人データの項目の選択を行うための選択キーと数値データを入力するための数値キーとが備わっている。また、操作部６には、特に図示されない体脂肪計１０を動作させるべく電源オンまたはオフするためのオン／オフ（ＯＮ／ＯＦＦ）スイッチや生体インピーダンスの測定を開始するための測定開始スイッチも設けられている。
【００２４】
そして、この操作部６においては、被検者の体重データを入力できるようにもなっている。この体脂肪計１０にあっては、後に説明するように体重計を有さない構成とされているので、被検者の体重データについては操作部６より入力するようにされている。
【００２５】
表示部７は、前記操作部６を介して入力された各種のデータを表示し、また、最終的な測定結果としての体脂肪率を表示するためのものである。測定面４は、生体インピーダンスを測定するべく被検者の手９を押し当てるための部分である。
【００２６】
この測定面４には生体インピーダンスを求めるための四つの電極２、２、３、３からなる電極群が配設されている。この実施の形態においては、測定面４に被検者の手の掌側を押し当てることによる、掌の電極群への接触によって生体インピーダンスを測定できるようにされたものが示されている。
【００２７】
そして、各電極は、掌に接触する部分が測定面４に対してやや突出して設けられており、掌に接触させ易いようにされている。これにより、掌に対する電極の接触面積が変わることなく確実に安定して掌に接触させることができ、接触面積の変動、接触不良、接触不足等により生ずる測定誤差を無くし、より高い精度でインピーダンスを測定できる。
【００２８】
各電極について、電極２、２は被検者の身体の二点間に電流路を形成するための電流路形成電極であり、電極３、３は前記電流路内の二点間の電圧を測定するための電圧測定用電極である。そして、左右の手の掌の各一つに対応する一つの電極２と一つの電極３とが一組とされる。この電極２と電極３とからなる一組のうち、図１に示されるように、電極２は掌における指に近い側に配設され、電極３は掌における手首に近い側に配設される。この図１に示されるように、電流路形成用の電極２を電圧測定用の電極３の外側に配設すると、電極３を介する生体インピーダンスによる電位差の測定を、電極２を介して形成された電流路の内側で行えるので、生体インピーダンスの測定を正確に行える。
【００２９】
ここで、電極２、３を接触させようとする掌の領域の具体例に関して図２により説明する。図２は、左右の掌を眺めた平面図である。図２において、１８は掌における人指し指の付け根の部分から小指の付け根に亘る領域である。２８は掌における親指の基部の領域である。そして、３８は、掌における小指の基部の領域である。この図２に示される領域１８、２８、３８は、掌において比較的膨らんでおり、これら領域に接触するように電極２、３を配設すると、掌に対する電極の接触をより高めることができる。これにより、より高い精度でインピーダンスを測定できる。
【００３０】
図１に示される電極２、３は、電極２が図２に示される領域１８に接触させ得るように配設され、電極３が図２に示される２８から３８に亘る領域に接触させ得るように配設された例にあたる。電極２、３の配設に関する異なる例を図３に示す。図３は、体脂肪計１０の構成の例についての一部平面図であり、右手に対応する一組の電極２、３が設けられた部分を含む図である。図３（ａ）には、電極２が領域１８に接触させ得るように配設され、電極３が領域２８に接触させ得るように配設されたものが示されている。図３（ｂ）には、電極２が領域１８に接触させ得るように配設され、電極３が領域３８に接触させ得るように配設されたものが示されている。
【００３１】
なお、測定面４における掌側を押し当てるべき部分に手形等の図形を表示しておき、電極２、３に対する手の位置決めを正確に行えるようにしてもよく、これによって精度の高いインピーダンスの測定を可能にできる。
【００３２】
これら電極２、３を介した生体インピーダンスの測定は、体脂肪計１０の内部に設けられる、体脂肪計において周知であるインピーダンス計測手段（図示されていない）によって行われる。即ち、体脂肪計１０の内部には、前記電流路を形成するべく一定電流を出力する定電流源を構成する素子や、前記電流路内の二点間の電圧を測定するための電圧計を構成する素子等が設けられている。
【００３３】
また、体脂肪計１０の内部には、前記生体インピーダンスの演算を含む体脂肪率を求めるための各種の演算を行う演算部を構成するＣＰＵ等の各素子や、前記操作部６や表示部７に所要の動作を行わせるための各種の素子も設けられている。図４は、体脂肪率の測定にかかるブロック図を示している。体脂肪率を求めるための各種の演算は、記憶部１１とＣＰＵ１２とを備えて構成される演算部により行われる。記憶部１１には、操作部６の操作を介して入力された体重データ等の個人データや電極群を介して得られた生体インピーダンスの測定値が記憶される。また、記憶部１１には、生体インピーダンスと個人データとに基づく体脂肪率を求めるために必要な各種の演算式や係数等が記憶されている。
【００３４】
そして、記憶部１１に記憶される前記データや演算式に基づく体脂肪率を求める演算は、ＣＰＵ１２の動作に基づいて実行される。また、体脂肪率を求めるための各データ処理の過程における、各部間の前記データの入出力は、入出力（Ｉ／Ｏ）部１３を介して行われる。即ち、操作部６の操作を介した個人データの記憶部１１への入力は入出力部１３を介して行われ、また、最終的に求められた体脂肪率は入出力部１３を介して表示部７へ出力され表示される。
【００３５】
また、図１に示される体脂肪計１０は、その本体１に特に図示されない設置手段が設けられており、後に説明するように体脂肪計１０を壁の所定の高さの位置に設置できるようにされている。この設置手段を介した体脂肪計１０を壁に設置する具体例として、壁の所定の高さの位置に設けられた凸状のフック部材に嵌め得る凹状の掛け孔を体脂肪計１０の背面に形成し、該掛け孔を介して体脂肪計１０を壁に掛けて設置するようにしたものを挙げることができる。また、体脂肪計１０を壁に埋め込み設置したり、壁にはめ込み設置するのであってもよい。その他にも、体脂肪計１０をマジックテープにより壁の所定の高さの位置に設置するようにしたものや、体脂肪計１０を壁や天井からひも等でぶら下げることにより壁における所定の高さの位置に設置するのであってもよい。
【００３６】
この体脂肪計１０にあっては、体重計に組み込まれた構成とされていないので体重計としての機能を維持する必要から本体１の大きさ、形状、強度等の制約を受けることがない。即ち、体脂肪計本体１を、生体インピーダンスの測定を手を接触させて行える電極群を組み込める程度の大きさとすればよい。従って、体脂肪計本体について、体重計に組み込まれた体脂肪計のごとき大きさや強度のものに形成する必要がなくコンパクトなものとでき、上記設置手段を介した壁への設置も容易に行える。また、設置手段により壁に設置できることから、体脂肪計１０を壁に常設することも可能であり、従来の体脂肪計に必要とされた、体脂肪率の測定を行う度に特定の保管場所から測定を行う場所まで移動させなければならないという手間をなくすることもできる。
【００３７】
また、体脂肪計１０の測定面４における電極２、３が配設される部分以外のスペースを利用し、該スペースに体脂肪率の測定以外の機能を有する特に図示されない部材、例えば時計等を組み込むこともできる。これにより、体脂肪率を測定するのみならず、時計等として用いることもでき便利である。そして、この体脂肪計１０にあっては、上記したように体重計を有さないので、かかる他の機能を有する部材と組み合わせることも容易に行える。
【００３８】
また、図５に示されるように、測定面４や操作パネル部５を覆うカバーを付設することもできる。図５は、測定面４と操作パネル部５の表面を覆うカバー１５が付設された例である体脂肪計２０の斜視図を示している。体脂肪計により体脂肪率の測定を行う時以外はカバー１５を閉じておくと、操作部６や表示部７、及び電極２、３を損傷や汚れから保護できる。特に、電極２、３が汚れや腐食等を受けると、生体インピーダンスの測定誤差を生ずる原因となり得るので、少なくとも測定面４を覆うことができるカバーを付設するのが望ましい。そして、このカバーを設けると、体脂肪計を特定の保管場所に保管せずに壁に常設したとしても、埃等によって汚染されないようにできる。
【００３９】
この測定面４等を覆うカバーは、図５に示されるカバー１５のごとく片開きで開閉可能な構造とされるものの他、取り外し可能なものや、左右方向に両開きとされるもの、上下方向に片開き又は両開きとされるもの等、いずれの構造とされるのであってもよい。また、かかるカバーに、特に図示されない前記時計のような体脂肪率の測定と異なる機能を有する部材を組み込むこともできる。このような体脂肪率の測定と異なる機能を有する部材として、時計の他、温度計、湿度計、体温計、ゲーム機等を挙げることができる。
【００４０】
次に、本発明の体脂肪計の使用について、前記体脂肪計１０の例により図６に基づいて説明する。まず、被検者８が立った姿勢にて肩の高さで両手を前方に水平に伸ばし、手９の掌側を測定面４の電極２、３に押し当て得るように、体脂肪計１０を壁における所定の高さの位置に設置する。図６（ａ）は、壁における前記所定の高さの位置に体脂肪計１０が設置された様子を示している。
【００４１】
そして、体脂肪計１０の操作部６を操作して各種の個人データの入力を行った後に、図６（ｂ）に示されるように、被検者８が手９の掌を測定面４に押し当て生体インピーダンスの測定を行う。そして、操作部６により入力された個人データと、測定された生体インピーダンスとに基づいて体脂肪率が求められる。求められた体脂肪率は表示部７に表示され、被検者はその表示を目視で確認することにより、自己の体脂肪率を知ることができる。なお、生体インピーダンスの測定を行ってから、操作部６により個人データを入力するのであっても構わない。
【００４２】
この体脂肪計１０を用いると、被検者８は、立った姿勢にて肩の高さで両手を前方に伸ばして掌を測定面４に押し当ててインピーダンスの測定を行え、腕が身体の他の部位に接触するおそれなく、楽な姿勢の下で精度の高いインピーダンスの測定を行える。また、体脂肪計１０は前記所定の高さの位置に設置されているので、被検者８は、立った姿勢のまま操作部６に対する操作や表示部７に表示された内容の目視による確認を行うことができ、体脂肪計に対する操作を楽な姿勢で容易に行える。
【００４３】
なお、以上の説明においては、体脂肪計１０を壁の所定の高さの位置に設置して使用する例により説明したが、体脂肪計１０を壁以外の机やテーブルの面に設置して使用するのであってもよい。即ち、被検者が、比較的に楽な姿勢で両手を伸ばすことにより腕を身体の他の部位に接触させることなく、生体インピーダンスを精度良く測定できるのであれば、机やテーブルの面に設置して使用するのであってもよい。
【００４４】
また、以上の説明においては、体脂肪計本体１と操作パネル部５とを一体とする例により説明したが、操作パネル部５と体脂肪計本体１とを分離して体脂肪計本体１のみを壁等に設置し、操作パネル部５と本体１とをケーブルで接続するかあるいは無線通信できるようにすることにより、体脂肪計として機能させるようにしてもよい。
【００４５】
【発明の効果】
以上に説明したように、本発明の体脂肪計は、体重計を有さずコンパクトに構成できる。また、体脂肪計に対する各種の操作を楽な姿勢で容易に行えることに加え、より高精度に体脂肪率を測定できるという効果も奏する。また、時計等の他の機能を有する部材を組み込むことも容易であり、使い勝手がよいという効果も奏する。
【図面の簡単な説明】
【図１】体脂肪計の一例の斜視図である。
【図２】掌における電極が接触する領域を示す図である
【図３】体脂肪計の一部平面図である。
【図４】体脂肪率の測定にかかるブロック図である。
【図５】カバーが付設された体脂肪計の例の斜視図である。
【図６】図６（ａ）は壁に掛けられた体脂肪計の斜視図である。
図６（ｂ）は被検者のインピーダンスの測定を行う様子を示す図である。
【符号の説明】
１      体脂肪計本体
２      電流路形成電極
３      電圧測定用電極
４      測定面
５      操作パネル部
６      操作部
７      表示部
８      被検者
９      被検者の手
１０      体脂肪計
１１      記憶部
１２      ＣＰＵ
１３      入出力（Ｉ／Ｏ）部
１５      カバー
１８      掌における電極が接触する領域
２０      体脂肪計
２８      掌における電極が接触する領域
３８      掌における電極が接触する領域
【図１】
0004065066.tif 000002
【図２】
0004065066.tif 000003
【図３】
0004065066.tif 000004
【図４】
0004065066.tif 000005
【図５】
0004065066.tif 000006
【図６】
0004065066.tif 000007